(57)【要約】      （修正有）【課題】股関節脱臼を起こした人が自宅でも使用でき、構造が簡単で動力も使用しない股関節脱臼の治療具を提案する。【解決手段】後ろ側に座部１１を有する基台１２と、基台１２の上にあって座部１１の直前位置に設けられた股当て部１３と、一部が基台１２の前側に固定されて、一端に足首掛止部１４、１５を備える掛止部材１６を、操作荷重の少なくとも２倍の力で引っ張る滑車手段とを有し、滑車手段は掛止部材１６の他端が固定された動滑車１８と、基台１２の前側に固定された定滑車１９と、一端が基台１２の前側又は定滑車１９に固定され、定滑車１９及び動滑車１８に掛けられてその他端側が基台１２の後ろ方向を向いた引っ張りロープ２０とを備える。【選択図】図１
0003134708.tif 000002
【実用新案登録請求の範囲】
【請求項１】
後ろ側に座部を有する基台と、
前記基台の上にあって前記座部の直前位置に設けられた股当て部と、
一部が前記基台の前側に固定されて、一端に足首掛止部を備える掛止部材を、操作荷重の少なくとも２倍の力で引っ張る滑車手段とを有し、
前記滑車手段は、１）前記掛止部材の他端が固定された動滑車と、２）前記基台の前側に固定された定滑車と、３）一端が前記基台の前側又は前記動滑車に固定され、該定滑車及び動滑車に掛けられてその他端側が前記基台の後ろ方向を向いた引っ張りロープとを備えることを特徴とする股関節脱臼の治療具。
【請求項２】
請求項1記載の股関節脱臼の治療具において、前記引っ張りロープの一端は、前記定滑車を介して前記基台の前側に固定されていることを特徴とする股関節脱臼の治療具。
【請求項３】
請求項１又は２記載の股関節脱臼の治療具において、前記足首掛止部は右足用と左足用の２つがあることを特徴とする股関節脱臼の治療具。
【考案の詳細な説明】
【技術分野】
【０００１】
本考案は、股関節脱臼の治療具に係り、特に構造が簡便で特別な動力等を用いることなく実施可能な股関節脱臼の治療具に関する。
【背景技術】
【０００２】
股関節脱臼とは、股関節を形成している大腿骨の「大腿骨頭」が、嵌まり込んでいる骨盤（寛骨臼）から脱臼し易い状態になっていることをいい、先天的に発生する場合もあるが、大人、特に中年以降の人に発生し易い。特許文献１には、両下肢全体が固定されて内転せず脱臼を予防し、良肢位のままで側臥位がとれ、装具を取り外すことなく排泄可能で、股関節の角度も調整可能な股関節脱臼の予防用装具が提案されている。
また、特許文献２には動物の股関節脱臼を矯正する方法及びこれに用いられる矯正用キットが提案されている。
【０００３】
【特許文献１】特開２００１−７０３２８号公報
【特許文献２】特開２００３−１３５４７６号公報
【考案の開示】
【考案が解決しようとする課題】
【０００４】
しかしながら、特許文献１記載の装具は、股関節脱臼の予防の装備であって、一旦脱臼した股関節を元の状態に矯正するものではないので、治療具の役目は発揮しない。
また、特許文献２に記載のように、大腿骨頭を寛骨臼内に戻した後、大腿骨頭にスクリューを挿入するものでは、人の股関節脱臼については簡単に適用できるものではない。
更に、この股関節脱臼の治療は一般に病院で行われているが、治療後も痛みを伴い、この場合に再度病院に行くという手間のかかることをする必要があった。
【０００５】
本考案はかかる事情に鑑みてなされたもので、股関節脱臼を起こした人が自宅でも使用でき、構造が簡単で動力も使用しない股関節脱臼の治療具を提案することを目的とする。
【課題を解決するための手段】
【０００６】
前記目的に沿う本考案に係る股関節脱臼の治療具は、後ろ側に座部を有する基台と、
前記基台の上にあって前記座部の直前位置に設けられた股当て部と、
一部が前記基台の前側に固定されて、一端に足首掛止部を備える掛止部材を、操作荷重の少なくとも２倍の力で引っ張る滑車手段とを有し、
前記滑車手段は、１）前記掛止部材の他端が固定された動滑車と、２）前記基台の前側に固定された定滑車と、３）一端が前記基台の前側又は前記動滑車に固定され、該定滑車及び動滑車に掛けられてその他端側が前記基台の後ろ方向を向いた引っ張りロープとを備える。
【０００７】
本考案に係る股関節脱臼の治療具において、前記引っ張りロープの一端は、前記定滑車を介して前記基台の前側に固定されているものであってもよい。
また、本考案に係る股関節脱臼の治療具において、前記足首掛止部は右足用と左足用の２つがあるのが好ましい。
また、前記股関節脱臼の治療具において、前記動滑車及び定滑車はそれぞれ２以上の車輪を有して、前記引っ張りロープを引っ張る力の４倍以上の力が前記掛止部材にかかるものであってもよい。
【考案の効果】
【０００８】
本考案に係る股関節脱臼の治療具は、後ろ側に座部を有する基台の上にあって座部の直前位置に設けられた股当て部と、一部が基台の前側に固定されて、一端に足首掛止部を備える掛止部材を、操作荷重の少なくとも２倍の力で引っ張る滑車手段とを有し、この滑車手段は、１）掛止部材の他端が固定された動滑車と、２）基台の前側に固定された定滑車と、３）一端が基台の前側又は動滑車に固定され、定滑車及び動滑車に掛けられてその他端側が基台の後ろ方向を向いた引っ張りロープとを備えるので、股当て部に股を掛けた状態で、座部に座り、足首掛止部に両足を掛けて、引っ張りロープを後ろ方向に引っ張ると、左右の足が前方向に引っ張られる。これによって、骨盤（寛骨臼）から大腿骨の大腿骨頭が外れるように作用し、痛みを和らげることが可能となる。
また、電力等の動力源は使用せず、構造も簡単であるので、安価に製造でき、自宅で簡便に使用できる。
【考案を実施するための最良の形態】
【０００９】
続いて、添付した図面を参照しつつ、本考案を具体化した実施の形態につき説明し、本考案の理解に供する。
ここで、図１は本考案の一実施の形態に係る股関節脱臼の治療具の斜視図、図２（Ａ）、（Ｂ）はその詳細説明図である。
【００１０】
図１、図２に示すように、本考案の一実施の形態に係る股関節脱臼の治療具１０は、後ろ側に座部１１を有する基台１２と、基台１２の上にあって座部１１の直前位置に設けられた股当て部１３と、一部が基台１２の前側に固定されて、一端に足首掛止部１４、１５を備える掛止部材１６を、操作荷重の少なくとも２倍の力で引っ張る滑車手段１７とを有している。以下、これらについて詳しく説明する。
【００１１】
前記基台１２は厚みが０．５〜２ｃｍ、幅が２５〜５０ｃｍ、長さが１．３〜２ｍの範囲にある木製板からなって、その後ろ側に人が座る座部１１が設けられている。この座部１１は所謂座布団又はクッションであって、基台１２に直接取付けられていてもよいし、単に載置されているだけでもよい。
この座部１１の直前位置には、硬質の（例えば、木製金属製又はプラスチック製の材料からなる）股当て部１３が基台１２にその下端を固着された状態で設けられている。この股当て部１３は平面視してＵ字状で後部が丸くなって、横幅が５〜２０ｃｍ、高さが１５〜３０ｃｍ、前後方向の長さが１５〜３０ｃｍ程度となっている。股当て部１３の後部の部分には適当にクッション材を配置して、弾力的に使用者の股に当たるようにするのが好ましい。
【００１２】
滑車手段１７は、図２（Ａ）、（Ｂ）に示すように、動滑車１８と、基台１２の前側に固定された定滑車１９と、一端が基台１２の前側（又は定滑車１９）に掛止具２１を介して固定された引っ張りロープ２０とを備えている。勿論、一端が基台１２の前側に固定された引っ張りロープ２０は、動滑車１８の車輪を通った後、定滑車１９の車輪を通ってその他端側が座部１１に座った人の手元に届くようになっている。なお、定滑車１９は掛止具２１を介して基台１２に固定されている。ここで、掛止具２１は紐であるが、金具であってもよい。更に、引っ張りロープ２０の一端は、定滑車１９を介して基台１２の前側に固定してもよい。
【００１３】
動滑車１８の掛止部２２には、足首掛止部１４、１５を備えた掛止部材１６の基端部（他端）が固定されている。足首掛止部１４、１５は帯状物又は紐状物からなって、丸くした状態で人の足が入り、足首に引っかかった状態で座部１１に座った人の足を前方向に引っ張れる構造となっている。引っ張りロープ２０は直径が５〜１２ｍｍの十分な長さを有する柔らかい材料からなっている。
【００１４】
続いて、本考案に係る股関節脱臼の治療具１０の使用方法について説明する。
座部１１の上に尻を載せ、股の間に股当て部１３が配置されるようにして座り、動滑車１８に基端部が取付けられている掛止部材１６の足首掛止部１４、１５を広げて左足と右足に挿通する。この状態で、図１に示すように、一端が定滑車１９の周囲の基台１２（又は定滑車１９）に固定され、動滑車１８の車輪及び定滑車１９の車輪に沿って折り曲げられた引っ張りロープ２０を手で引っ張る。そうすると、動滑車１８に取付けられた掛止部材１６が手で引っ張る力の２倍の力で引っ張られるので、股（即ち、骨盤）の部分は股当て部１３で固定保持され、大腿骨が引っ張られ、股関節脱臼の治療を行うことができる。この引っ張る力は、引っ張りロープ２０を引っ張る力によって決まるので、状況をみながら手加減することができる。
【００１５】
前記実施の形態においては、動滑車及び定滑車はそれぞれ車輪が一つのものを使用したが、２以上のものを使用し、手で引っ張る力に対して、足首に装着される足首掛止部１４、１５からなる掛止部材１６に掛かる荷重を２倍以上（例えば、４倍、６倍）とすることができる。
更に、前記実施の形態においては、具体的寸法を用いて説明したが、本考案の要旨を変更しない範囲での数値変更は可能である。また、引っ張りロープの一端は動滑車に固定してもよく、この場合、定滑車は対となる車輪を有する。
【図面の簡単な説明】
【００１６】
【図１】本考案の一実施の形態に係る股関節脱臼の治療具の斜視図である。
【図２】（Ａ）、（Ｂ）はそれぞれ同股関節脱臼の治療具の詳細説明図である。
【符号の説明】
【００１７】
１０：股関節脱臼の治療具、１１：座部、１２：基台、１３：股当て部、１４、１５：足首掛止部、１６：掛止部材、１７：滑車手段、１８：動滑車、１９：定滑車、２０：引っ張りロープ、２１：掛止部、２２：掛止部
【図１】
0003134708.tif 000003
【図２】
0003134708.tif 000004